(57)【特許請求の範囲】
【請求項１】
平面視Ｃ字状の上フレーム（２１）と下フレーム（２２）の前部に前方開口部（２３）を形成し、該前方開口部（２３）の左右両側部には左支柱（２４）と右支柱（２５）を縦方向に溶接して枠体（１９）を構成し、前記上フレーム（２１）と下フレーム（２２）に第１ステー（２０ａ）と第２ステー（２０ｂ）を夫々斜設し、該第１ステー（２０ａ）と第２ステー（２０ｂ）に第１軸受（１８ａ）と第２軸受（１８ｂ）を夫々設け、該第１軸受（１８ａ）と第２軸受（１８ｂ）に回転軸（１）の上下を夫々軸承し、該回転軸（１）を所定角度前傾斜した姿勢で設け、該回転軸（１）には上下方向に所定間隔をずらして５組の取付板（１７）を取り付け、該取付板（１７）には回転刃（２）を周縁部から突出させて夫々取り付け、前記下フレーム（２２）の右外側方に取付台（３１）を突設し、該取付台（３１）にエンジン（３）を搭載し、該エンジン（３）の駆動軸（４０）と回転軸（１）とを伝動ケース（３２）で連動し、前記回転刃（２）を平面視で反時計方向に回転させる構成とし、前記前方開口部（２３）及び枠体（１９）の上下面に形成した上開口部（７）と下開口部（８）を除く枠体（１９）の外周側面をカバー（４）で覆い、
前記カバー（４）内の回転刃（２）の左支柱（２４）を基準とする回転方向下手側に形成される空間（９）が、回転刃（２）の左支柱（２４）を基準とする回転方向上手側の空間よりも広くなるように回転軸（１）を一側方に偏位させて配置し、
前記回転刃（２）の回転方向下手側に位置する左支柱（２４）における回転刃（２）との対向位置に夫々受刃（５）を配置し、前記カバー（４）の上方に回転軸（１）の上端部（１ａ）を突設し、該上端部（１ａ）に切断装置を取付可能な構成としたことを特徴とする残幹処理装置。
【発明の詳細な説明】
【０００１】
【発明の属する技術分野】
この発明は、たばこや植木等の残幹を切断する残幹処理装置の改良に関するものである。
【０００２】
【従来技術】
従来のたばこ等の残幹切断装置は例えば次のように構成されていた。即ち、地表上に直立した残幹を機体の側方から前方に亘る長い範囲に設けた挾持ベルトや牽引犁や回転刃等の引き抜き機で残幹全体を引き抜いて、機体後部の切断処理機まで搬送して短い長さに切断していた。
【０００３】
【発明が解決しようとする課題】
従来装置は前記のように構成されていて、トラクタの機体前部から側部に残幹引き抜き装置を、機体後部には切断処理機を設けているため、機体の全長が長くなり運転操作が面倒である。また、切断処理した残幹を収納する容器が小さいと、何度も容器を取り替えたり、残幹を別の場所に廃棄に行ったりと能率が悪かった。また、切断処理機の天井部に壁やエンジン等を設けていると、残幹の先端部が引っかかって切断する前に残幹が地面から抜け出し、切断作業の能率が低下する場合があった。
【０００４】
【問題を解決するための手段】
この発明は、従来装置のこのような不具合を解消しようとするものであって、次のような技術的手段を講じた。即ち、請求項１記載の発明は、平面視Ｃ字状の上フレーム（２１）と下フレーム（２２）の前部に前方開口部（２３）を形成し、該前方開口部（２３）の左右両側部には左支柱（２４）と右支柱（２５）を縦方向に溶接して枠体（１９）を構成し、前記上フレーム（２１）と下フレーム（２２）に第１ステー（２０ａ）と第２ステー（２０ｂ）を夫々斜設し、該第１ステー（２０ａ）と第２ステー（２０ｂ）に第１軸受（１８ａ）と第２軸受（１８ｂ）を夫々設け、該第１軸受（１８ａ）と第２軸受（１８ｂ）に回転軸（１）の上下を夫々軸承し、該回転軸（１）を所定角度前傾斜した姿勢で設け、該回転軸（１）には上下方向に所定間隔をずらして５組の取付板（１７）を取り付け、該取付板（１７）には回転刃（２）を周縁部から突出させて夫々取り付け、前記下フレーム（２２）の右外側方に取付台（３１）を突設し、該取付台（３１）にエンジン（３）を搭載し、該エンジン（３）の駆動軸（４０）と回転軸（１）とを伝動ケース（３２）で連動し、前記回転刃（２）を平面視で反時計方向に回転させる構成とし、前記前方開口部（２３）及び枠体（１９）の上下面に形成した上開口部（７）と下開口部（８）を除く枠体（１９）の外周側面をカバー（４）で覆い、前記カバー（４）内の回転刃（２）の左支柱（２４）を基準とする回転方向下手側に形成される空間（９）が、回転刃（２）の左支柱（２４）を基準とする回転方向上手側の空間よりも広くなるように回転軸（１）を一側方に偏位させて配置し、前記回転刃（２）の回転方向下手側に位置する左支柱（２４）における回転刃（２）との対向位置に夫々受刃（５）を配置し、前記カバー（４）の上方に回転軸（１）の上端部（１ａ）を突設し、該上端部（１ａ）に切断装置を取付可能な構成としたことを特徴とする残幹処理装置とした。
【０００５】
【０００６】
【０００７】
【発明の効果】
この発明によれば、残幹を引き抜かずに直接切断するから、切断時に残幹の下部が逃げにくくなって、切断性能が向上する。また、直立した残幹を上端部から順に切断するので、残幹が逃げたり跳ねたりすることがなく、切断性能が向上する。
また、切断された残幹は回転刃（２）の左支柱（２４）を基準とする回転方向下手側の空間（９）に移動して下開口部（８）から圃場に落下するので、残幹が詰まることを防止でき、作業能率が向上する。
そして、回転軸（１）の上端部（１ａ）をカバー（４）の上方に突設させたことにより、回転軸（１）を視認することができ、回転軸（１）の回転または非回転状態が外部から容易に判断できる。
さらに、回転軸（１）の上端部（１ａ）に切断装置を取り付ければ、丈の長い残幹でも短く切断することができる。
【０００８】
【０００９】
【００１０】
【００１１】
【発明の実施の形態】
以下、図例に基づき、この発明の実施例の形態について説明する。この実施例は、たばこの残幹を主体に、他の細い枝の植木等の切断排出処理を円滑にしようとする残幹切断処理装置に関するもので、以下その内容について説明する。
【００１２】
先ず、構成について説明する。トラクタ等の移動車両１１の機体Ａ前部の前ヒッチ１２部に、残幹処理装置１３下部後方に設けたフック１４を引き掛けてボルト等で連結固定している。該フック１４は、左右一対の後部支柱１５，１５下部に一体的に取付けた下部枠１６から突出している。該下部枠１６と後部支柱１５，１５で主取付枠を構成しており、この主取付枠の後部支柱１５に、以下説明する残幹処理装置１３の主要部である切断装置６を、カバー４やエンジン３と同時に上下方向調節自在に取り付けている。
【００１３】
主要部の切断装置６は、回転軸１側に取り付けた回転刃２と、カバー４側に取り付けた受刃５から成り、上端が前側に２０度程度の所定角度傾斜するように前傾姿勢に斜設した回転軸１としている。回転軸１には上下方向に所定間隔ずらせて例えば５組の取付板１７，１７…を取り付け、この取付板１７，１７…には例えば２個の回転刃２，２を周縁部から突出するように１８０度偏位させて夫々取り付けている。
【００１４】
図１〜図４に示すように回転軸１は、軸の上下部を夫々軸受１８，１８（第１軸受１８ａ、第２軸受１８ｂ）で軸承されている。該軸受１８，１８は、図４で示すように、枠体１９の上下に斜設したステー２０，２０（第１ステー２０ａ、第２ステー２０ｂ）部に設けられており、切断装置６の回転外方に位置する平面視Ｃ字状の上下フレーム２１，２２（上フレーム２１、下フレーム２２）に取り付けられている。上下フレーム２１，２２の前方開口２３部両側には、左右の支柱２４，２５（左支柱２４、右支柱２５）が縦方向に溶接され一体化している。上下方向中間部の左右支柱２４，２５には、平面視Ｃ字状の中間フレーム２６の前方開口２３端部が溶接一体化され、上下フレーム２１，２２と中間フレーム２６の三者の背部は、上下分割した後支柱２７，２７で溶接一体化されている。
【００１５】
さらに、上フレーム２１と中間フレーム２６には、後方に向かって上下のプレート２８，２９が突出し、両者間を左右一対の中空パイプ３０，３０で上下連結している。そして、上下フレーム２１，２２と中間フレーム２６の外周側面を、前方開口２３部及び上下面部の上下開口７，８を除いてカバー４で覆っている。中間フレーム２６後部に一体突設する下プレート２９にはボス３５が溶接され、ここにハンドル３６付きのネジ棒３７をネジ込んでいる。ネジ込み後にネジ棒３７の下端にロールピン３８を打ち込んで、下部枠１６のプレート３９部に対して、ネジ棒３７が回転は自由で上下方向には規制して取り付けられている。これにより、ハンドル３６を回すことによりボス３５部が上下移動し、ボス３５と一体に構成した枠体１９が下部枠１６に対し上下調節される。
【００１６】
平面視Ｃ字状の上下フレーム２１，２２は、図２で示すように回転刃２付きの回転軸１を一側方に偏位させ、他側方に突出空間９を設けている。そして、回転刃２付きの回転軸１前方に、前述した前方開口２３を設けている。回転軸１は、上下フレーム２１，２２よりも、上下方向に夫々外方突出している。そして、下フレーム２２の右側方外方にエンジン３を搭載する取付台３１を突設し、エンジン３の駆動軸４０と回転軸１を、図２で示す矢印「イ」方向に駆動回転する伝動ケース３２で連動連結している。
【００１７】
回転刃２，２…の回転下手側の左支柱２４内方対抗位置に、夫々受刃５，５…を配置し、平面から見て回転刃２，２…の刃部が固定刃５，５…の刃部に対してオーバーラップし且つ接近して回転する構成としている。移動車両１１の前進走行により、残幹処理装置１３が前方に移動するとき、切断しようとする作物の茎幹または残幹Ｓを装置の前方開口２３部に入るように操縦して前進走行する。このときエンジン３を駆動して、切断装置６で作物の茎幹または残幹Ｓを上部から短く切断し、回転下流側の突出空間９側に集め下方に落下させ、下開口８側から圃場上に排出する。切断装置６のカバー４外方にエンジン３を設けているので、切断される作物の茎幹の草丈が長くなった場合に、最上部の茎幹の切断長が長くなるだけであり、装置上部に引っかかることがない。また、回転軸１の突出上端部１ａに、延長切断装置を取り付けると長幹の草丈であっても短く切断できる。
【００１８】
カバー４のうち、突出空間９回りの平面視１８０度程度のカバーをナイロンやビニール等の軟質透明材、または、硬質強化ガラス等の透明体カバー１０で構成しておくと、切断される作物茎幹または残幹Ｓの切断状態や詰まり状態が外部から見え、後作業を容易に行なえる。
【００１９】
図５を主体に、切断作業について説明する。畦Ｍに植立しているたばこの残幹Ｓが前側から入って来ると、残幹Ｓは先ず上下方向に偏位している取付板１７，１７，…の周縁部に受け止められ、次いで、平面視反時計方向に回転している回転刃２，２，…の刃部により回転下手側（図２の矢印ロ方向）に送られ、たばこの残幹Ｓは取付板１７，１７…の周縁部及び回転刃２，２，…の刃部で支持された状態で回転下手側に移動し、回転刃２，２，…の刃部と受刃５，５，…の刃部により挾持切断される。
【００２０】
また、回転軸１はその上部が前側に位置するように前傾姿勢で支架されているので、たばこの残幹Ｓはその上部側が早く、下部側が遅れて残幹処理装置１３に順次送り込まれ、上部側の残幹Ｓから回転刃２，２，…及び受刃５，５，…により所定長さに順次切断され、切断下流側の突出空間９に向かって移動する。この切断され突出空間９に向かった残幹Ｓは、自重により下開口８から地面上に放出され、畦Ｍ側方の溝部に落下する。たばこ残幹Ｓは葉を収穫後放置しておくと、新規に小葉が繁茂し、従来のものは切断作業中に切断装置６回りに詰ることがあるが、本件構成では切断装置６の下流側に突出空間９を広く上下方向に設けているので、切断後の残幹に小葉があっても下方落下が妨げられず作業能率の低下がない。
【００２１】
移動車両１１の機体Ａ後部に、上部リンク，下部リンクからなる３Ｐ連結装置４１を介してロータリ耕耘装置４２を連結する構成とし、機体Ａ前部の残幹切断装置１３でたばこ残幹Ｓの茎切断処理をし、後続のロータリ耕耘装置４２により耕耘作業をすることで、残幹Ｓの切断処理及び土壌中への埋め込み作業を能率的に行なうことができる。
【００２２】
移動車両１１の前後方向中間部には、運転者が着座するシート４３とステアリングハンドル４４が設けられており、着座した運転者から残幹処理装置１３の回転軸１の回転がエンジン３で駆動されているかどうかを、上端部１ａで確認できる。これにより、切断装置６回りに透明体カバー１０を設けず、不透明の樹脂板や鉄板等で覆っていても、運転者の駆動確認が容易であり、安心して作業できる。
【図面の簡単な説明】
【図１】  残幹処理装置の、全体側面図である。
【図２】  残幹処理装置の、全体平面図である。
【図３】  残幹処理装置の、全体正面図である。
【図４】  要部の枠体構成を示す、全体斜視図である。
【図５】  機体の前後に作業装置を取り付けた、全体側面図である。
【符号の説明】
１        回転軸
１ａ      上端部
２        回転刃
３        エンジン
４        カバー
５        受刃
６        切断装置
７        上開口部
８        下開口部
９        空間
１０      透明体カバー
１１      移動車両
１７      取付板
１８ａ    第１軸受
１８ｂ    第２軸受
２０ａ    第１ステー
２０ｂ    第２ステー
２１      上フレーム
２２      下フレーム
２３      前方開口部
２４      左支柱
２５      右支柱
【図１】
0004560929.tif 000002
【図２】
0004560929.tif 000003
【図３】
0004560929.tif 000004
【図４】
0004560929.tif 000005
【図５】
0004560929.tif 000006